(57)【要約】 【課題】表示装置１４で表示している画像を拡大し、その表示領域を４８移動すると、視聴者は表示領域４８の表示物の動きに目が付いていかず、ちらつきなどが生じる。【解決手段】操作および表示状態を監視し、移動操作および拡大状態が検出されると、画像情報を加工し、画像に表示される表示物の動きをわかりにくくする。【選択図】  図１
2011170501.tif 000002
【特許請求の範囲】
【請求項１】
操作画面を有し、かつ前記操作画面における表示領域の画像を表示装置により表示させる指示端末を有する表示システムにおいて、前記操作画面の画像情報を取得する、画像取得部、前記指示端末における操作情報を取得する、操作取得部、前記操作情報により前記表示領域の移動操作および前記表示領域における表示物の移動操作のいずれかを監視する、操作監視部、前記操作監視結果に応じて、前記画像情報を加工する、加工部、および前記画像情報を前記表示装置に表示させる、表示指示部、を備える表示システム。
【請求項２】
前記表示領域の画像における表示状態の情報を取得する、表示状態取得部、および前記表示状態情報により前記画像の拡大状態を監視する、拡大監視部、をさらに備え、前記加工部は、前記操作監視結果に加え、前記拡大監視結果に応じて、前記画像情報を加工する、請求項１記載の表示システム。
【請求項３】
前記画像情報の加工は、前記表示領域における明度の差の縮小、減色、解像度の低下、輝度の低下、およびモザイク加工の少なくともいずれか１つを含む、請求項１または２記載の表示システム。
【請求項４】
操作画面を有し、かつ前記操作画面における表示領域の画像を表示装置により表示させる指示端末を有するシステムにおいて、前記操作画面の画像情報を取得する、画像取得機能、前記指示端末における操作情報を取得する、操作取得機能、前記操作情報により前記表示領域の移動操作および前記表示領域における表示物の移動操作のいずれかを監視する、操作監視機能、前記操作監視結果に応じて、前記画像情報を加工する、加工機能、および前記画像情報を前記表示装置に表示させる、表示指示機能、を実現させるための表示プログラム。
【発明の詳細な説明】
【技術分野】
【０００１】
本発明は、表示システムおよび表示プログラムに関し、特に、表示装置を用いて表示領域の画像を表示させる指示端末を有する表示システムおよび表示プログラムに関する。
【背景技術】
【０００２】
端末の操作画面に表示されている画像をプロジェクタなどでスクリーンに表示した場合に、端末の操作者が表示領域を移動させたり、カーソルを移動させたりすると、画像が瞬間的に変化する。このため、スクリーンを見ている人は、その動きに目が付いていけず、目がちらつき眩んでしまう。特に、画像を拡大して表示し、その表示領域を移動させると、この現象はさらにひどくなり、表示画像を見づらく、視覚の不調が生じ易くなる。
【０００３】
このような問題に対して、特許文献１では、画像を拡大して表示した際に、拡大倍率に応じて、カーソルの移動量を調整している。たとえば、カーソル移動量を拡大表示倍率の逆数値に設定することにより、画像を拡大するほどカーソル移動量を減らしている。
【先行技術文献】
【特許文献】
【０００４】
【特許文献１】特開２００１−３４２５４
【発明の概要】
【発明が解決しようとする課題】
【０００５】
しかしながら、拡大画像におけるカーソルの移動量が少なくなると、カーソルを移動させるのに、マウスの操作量を増やさなければならず、操作しにくくなってしまう。
【０００６】
それゆえに、この発明の目的は、操作性に優れ、視覚不調を防止可能な表示システムおよび表示プロジェクトを提供することである。
【課題を解決するための手段】
【０００７】
請求項１の発明は、操作画面を有し、かつ操作画面における表示領域の画像を表示装置により表示させる指示端末を有する表示システムにおいて、操作画面の画像情報を取得する、画像取得部、指示端末における操作情報を取得する、操作取得部、操作情報により表示領域の移動操作および表示領域における表示物の移動操作のいずれかを監視する、操作監視部、操作監視結果に応じて、画像情報を加工する、加工部、および画像情報を表示装置に表示させる、表示指示部、を備える表示システムである。
【０００８】
請求項１の発明では、画像情報を加工すると、表示領域や表示物の移動操作による動きが不鮮明になり、表示領域内の文字などや、カーソルなどの表示物の変化を判別しにくくなる。
【０００９】
また、画像を拡大してもカーソルの移動量が少なくならないことにより、カーソルの移動にマウスの操作量を増やす必要がなく、カーソルを操作しやすい。
【００１０】
請求項２の発明は、表示領域の画像における表示状態の情報を取得する、表示状態取得部、および表示状態情報により画像の拡大状態を監視する、拡大監視部、をさらに備え、加工部は、操作監視結果に加え、拡大監視結果に応じて、画像情報を加工する、請求項１記載の表示システムである。
【００１１】
請求項２の発明によれば、画像が拡大されていると、表示領域における表示領域や表示物の移動量は標準サイズの画像に比べて大きくなるが、画像が加工されることにより、表示領域や表示物の動きが明確でなくなる。
【００１２】
請求項３の発明は、画像情報の加工は、表示領域における明度の差の縮小、減色、解像度の低下、輝度の低下、モザイク加工およびコマ送りの少なくともいずれか１つを含む、請求項１または２記載の表示システムである。
【００１３】
請求項３の発明では、明度の差の縮小などにより、文字や絵などの表示物とそれ以外の背景とを区別する視覚的な特徴の差がなくなり、移動する表示物などを識別しにくくなり、表示領域や表示物の動きがわかりにくくなる。
【００１４】
請求項４の発明は、操作画面を有し、かつ操作画面における表示領域の画像を表示装置により表示させる指示端末を有するシステムにおいて、操作画面の画像情報を取得する、画像取得機能、指示端末における操作情報を取得する、操作取得機能、操作情報により表示領域の移動操作および表示領域における表示物の移動操作のいずれかを監視する、操作監視機能、操作監視結果に応じて、画像情報を加工する、加工機能、および画像情報を表示装置に表示させる、表示指示機能、を実現させるための表示プログラムである。
【００１５】
請求項４でも、請求項１と同様に、指示端末の操作性に優れ、視覚不調の防止が図れる。
【発明の効果】
【００１６】
この発明によれば、表示物の移動操作に対してマウスの操作量が増えず、操作性に優れ、また、画像加工により表示領域や表示物を識別しにくくなることでその動きによる視覚不調を防げる。
【図面の簡単な説明】
【００１７】
【図１】本発明のシステム構成の一例を示す機能ブロック図。
【図２】端末のハードウェア構成の一例を示す概念図。
【図３】操作画面に表示される画像を示す図。
【図４】指示端末を示す図
【図５】（ａ）および（ｂ）は、拡大した画像を示す図。
【図６】図５（ａ）の画像情報を加工した画像を示す図。
【図７】図５（ａ）の画像情報を加工した画像を示す図。
【図８】処理プロセスの一例を示すフローチャート。
【図９】第２実施例のシステム構成の一例を示す機能ブロック図。
【図１０】位置記憶部に記録されている位置情報を示す図。
【図１１】画像情報を加工した場合の時間とそれに対応する情報の生成プロセスとを簡単に示す図。
【図１２】表示領域の画像を表示ウインドウに表示した操作画面を示す図。
【発明を実施するための形態】
【実施例１】
【００１８】
図１に示す本発明の表示システム１０は、指示端末１２および表示装置１４を備え、指示端末１２は表示装置１４を用いて表示領域の画像を表示させる。指示端末１２と表示装置１４とは、有線または無線で情報送受信可能に接続される。
【００１９】
指示端末１２は、図２のハードウェア構成の一例に示すように、プログラムの演算処理を実行し、各装置へ適切な指示を与えて制御するＣＰＵ等の演算制御装置１６と、情報を記憶するＲＡＭやハードディスクなどの記憶装置１８と、演算制御装置１６の処理結果や記憶装置１８に記憶する情報などを送受信する通信装置２０と、画像を拡大する指示や表示物などを移動する指示などを入力するマウスなどのポインティングデバイスやキーボードなどの入力装置２２と、ディスプレイや操作画面などを含む出力表示装置２４とを備える。
【００２０】
指示端末１２は、図１の機能ブロック図に示す構成部を有する。各構成部は、その機能により論理的に区別されているのみであって、物理上あるいは事実上同一または別の領域を為していてもよい。各機能は、これらに対応するプログラムやモジュール等が演算制御装置１６に読み込まれてその処理が実行されることによって実現される。また、本発明において必要となる最小限度の装置および構成部を記載しており、その他の装置などについてはその記載を省略する。
【００２１】
指示端末１２は、操作画面の画像情報などを生成する制御部２６、操作画面の画像情報を取得する、画像取得部２８、指示端末１２における操作情報を取得する、操作取得部３０、操作情報により表示領域の移動操作および表示領域における表示物の移動操作のいずれかを監視する、操作監視部３２、画像の表示状態の情報を取得する、表示状態取得部３４、表示状態情報により画像の拡大状態を監視する、拡大監視部３６、拡大監視結果および操作監視結果に応じて、画像情報を加工する、加工部３８、および画像情報を表示装置１４に表示させる、表示指示部４０、を備える。
【００２２】
制御部２６は、プログラムやデータなどの情報を記憶装置１８などから読み出し、また、入力装置２２の操作による操作内容や位置などの情報を得て、これらの情報により操作画面４６の画像情報を生成し、ＲＡＭなどの記憶装置１８に記憶する。そして、画像情報に基づいて、図３に示すように、アイコン４１やカーソル４２、ウインドウ４４などの表示物の画像を標準サイズとして出力表示装置２４の操作画面４６（図４）に表示する。ここでは、表示領域４８は表示装置１４を用いて表示させる画像の範囲である。この場合、表示装置１４で表示する画像と操作画面４６で表示する画像が同じであるため、表示領域４８は操作画面４６に表示される範囲と同じとなる。また、表示領域４８のサイズを標準サイズの表示領域より小さく設定すると、表示領域４８以外の部分は操作画面４６に表示されずに、表示領域４８内の画像は大きく拡大されてその拡大画像が操作画面４６に表示される。
【００２３】
制御部２６は、操作画面４６に表示されている画像を拡大する指示を入力装置２２などから受けると、この指示による表示倍率および位置を取得し、これに基づき拡大画像の表示領域４８を設定する。画像の表示倍率は、予め決められた所定値に設定することもできるし、また指示端末１２のユーザが入力装置２２などを使用し任意に設定することもできる。たとえば、カーソル４２の位置を中心に拡大し、その表示倍率がマウスホイールの回転量により決まる場合、マウスホイールの回転量を取得し、回転量から表示倍率を求める。また、カーソル４２の位置座標および操作画面サイズを取得し、これらの情報から拡大画像の表示領域４８の位置座標を算出する。そして、記憶装置１８から標準サイズの画像情報から抽出し、拡大画像の表示領域４８の位置座標を基に、標準サイズの画像情報から拡大画像の表示領域４８の画像情報を得て、図５（ａ）に示すように、この画像情報により操作画面４６に拡大した画像を表示する。
【００２４】
画像取得部２８は、出力表示装置１４の操作画面４６に表示される画像の情報を、制御部２６から取得し、画像情報を加工部３８に送る。なお、この画像情報は、表示装置１４を用いてスクリーンなどに表示領域の画像を表示するための情報である。また、画像情報が制御部２６で生成され、ＲＡＭなどの記憶装置１８などに記憶されている場合、記憶装置１８から取得することもできる。
【００２５】
操作取得部３０は、入力装置２２で操作された情報を制御部２６から取得し、操作監視部３２に送る。操作情報は、操作内容、操作対象および時刻などを含む。操作内容は、たとえば、ポインティングデバイスによる位置指示操作、クリック、ドロップ、プレス、ドラックなどポインティングデバイスのボタン操作、マウスホイールの回転、キーボードの入力操作、スクロールバー５４に対するドラッグ操作、移動操作、スクロール操作、起動操作、コピー操作などがある。操作対象は、表示物やアプリケーションなどである。表示物は、カーソル４２、アイコン４１、ウインドウ４４、ボタン、ウインドウ４４内に表示される文字５２や絵など、操作画面４６に表示されるものである。
【００２６】
操作監視部３２は、操作取得部３０から操作情報を受信し、操作情報から表示領域４８の移動操作や表示領域４８における表示物の移動操作を監視し、監視結果を加工部３８に送る。たとえば、操作情報からポインティングデバイスの位置指示、ドラック、クリックなどポインティングデバイスのボタンの押下などの操作を監視し、表示物を移動させる操作を検出する。また、マウスホイールの回転、スクロールバー５４に対するドラッグ操作など画像のスクロール操作を監視し、図５（ａ）から図５（ｂ）に示すように表示領域４８の移動によるウインドウ４４に表示されている画像を移動させる操作を検出する。さらに、表示領域４８の画像を拡大した場合、ポインティングデバイスの位置指示やドラッグなどの操作内容を監視し、表示領域４８の移動による操作画面４６に表示されている拡大画像を移動させる操作を検出する。他に、ショートカットキーなどの押下や
1266385765640_0
上の特定位置の
1266385765640_1
などの操作を監視し、ＵＮＤＯやＲＥＤＯなどによる表示領域４８や表示物の移動操作を検出する。
【００２７】
また、操作監視部３２は、さらに、操作情報に基づき表示領域４８や表示物の移動の停止を監視する。たとえば、ポインティングデバイスによる指示位置の変化を監視し、変化していると表示物などの位置情報を判定し、位置情報が変化していないと表示物などの停止と判定する。この停止時や一定時間停止が続けば、操作監視部３２は表示物が停止しているとして、移動操作なしとの監視結果を加工部３８に送付する。
【００２８】
表示状態取得部３４は、制御部２６から表示領域４８の画像が表示されている状態の情報を取得し、この表示状態情報を拡大監視部３６に送る。表示状態情報は、表示領域４８の画像が拡大されているか否かを判断できる情報を含み、たとえば表示倍率や表示領域４８の位置情報などの画像サイズ、標準や拡大などの画像サイズの状態情報などである。
【００２９】
拡大監視部３６は、表示状態取得部３４から表示状態情報を取得し、表示領域４８の画像の拡大状態を監視し、監視結果を加工部３８に送る。たとえば、表示状態情報が表示倍率の場合、これを監視し、表示倍率が１倍より大きいと表示領域４８の画像は拡大状態であると判断する。また、表示状態情報が表示領域４８の位置情報の場合、これから表示領域４８の大きさを求め、標準サイズの表示領域４８の大きさと比較し、標準サイズの大きさより小さければ、表示領域４８の画像は拡大状態であると判断する。さらに、表示状態情報が画像サイズの状態の場合、これを監視し、状態が拡大であれば、表示領域４８の画像は拡大状態であると判断する。
【００３０】
加工部３８は、画像情報を画像取得部２８から得る。また、拡大監視部３６から拡大監視結果を受けるとともに、操作監視部３２から操作監視結果を受け、これらの結果に応じて画像情報を加工し、加工された画像情報を表示指示部４０に送る。つまり、拡大監視結果により表示領域４８の画像が拡大状態である場合に、操作監視結果で表示領域４８や表示物の移動操作を検出すると、画像情報を加工し、加工した画像情報を表示指示部４０に送信する。また、拡大監視結果により表示領域４８の画像が拡大状態でない場合や、操作監視結果で表示領域４８などの移動操作がない場合、画像情報を加工せずに表示指示部４０に送信する。ここで、移動操作なしには、移動操作の停止を含む。
【００３１】
画像情報の加工は、表示領域４８に表示されている文字５２や絵など、および表示領域４８の表示物などの特徴的な部分を識別しにくくする。たとえば、表示領域４８における明度の差の縮小、減色、解像度の低下、輝度の低下、およびモザイク加工などである。この明度の差の縮小では、表示領域４８の白色部分の明度を下げ、灰色などにする。これにより、図５（ａ）のように背景が白色で、文字５２などが黒色の場合、図６に示すように、背景が灰色になり、文字５２と背景との明度の差が小さくなるため、文字５２を識別しにくくなる。また、減色では、赤や青などの有彩色の数を減らし、モノトーン化することにより、色が付いた特徴的な部分がわかりにくくなる。
【００３２】
この加工を施す部分は、表示領域４８の全体とすることもできるし、表示領域４８の一部とすることもできる。表示領域４８の一部とする場合、指示端末のユーザが表示位置を把握できる大きさであればよい。たとえば、図５（ａ）の拡大画像のカーソル部分を加工せず、それ以外の部分を加工すると、図７に示すように、カーソル部分は識別可能であり、所望の位置に表示領域などを移動させることができる。しかも、その周囲は識別しにくくなるため、表示領域４８などの移動によるちらつきが防止できる。
【００３３】
表示指示部４０は、加工部３８から加工されていない画像情報または加工された画像情報を得ると、表示装置１４に送り、表示を指示する。
【００３４】
表示装置１４は、表示指示部４０から画像情報を得て、画像情報を基に画像を表示する。表示装置１４は、たとえば、プロジェクタなどの投影装置、コンピュータやテレビなどのディスプレイである。
【００３５】
第１実施例の外部接続機器制御システム１０における処理プロセスの一例を、図３〜図８を用いて説明する。
【００３６】
図４の指示端末１２の操作画面４６に表示している図３に示す画像を、表示装置１４により表示する場合、ステップＳ１００で、この操作画面の画像情報が制御部２６から画像取得部２８により取得される。そこから、加工部３８に送られる。また、操作画面４６において表示領域４８ａに設定され、図５（ａ）に示すように画像が拡大されると、表示領域４８ａの画像情報が制御部２６から画像取得部２８に送られる。
【００３７】
指示端末１２のユーザが入力装置２２を用いて指示端末１２に対して操作すると、ステップＳ１０２で、この操作内容などを示す操作情報が制御部２６から操作取得部３０により取得され、操作監視部３２へ送られる。操作監視部３２では、操作情報から表示領域４８の移動操作や表示領域４８における表示物の移動操作がなされたか否かが監視される。たとえば、図３に示す表示領域４８ａから表示領域４８ｂに表示領域が移動されると、この移動操作が検出されて、ステップＳ１０４でＹＥＳと判定され、ステップＳ１０６に進む。
【００３８】
一方、たとえば、操作情報が文字５２などのキー入力操作やアプリケーションの起動などであって、表示領域４８や表示物の移動操作でなければ、操作監視部３２により、ステップＳ１０４でＮＯと判定され、ステップＳ１０８に進む。ここで、画像情報は加工部３８で加工されずに、加工部３８から表示指示部４０に送られ、表示指示部４０から表示装置１４へ渡される。そして、ステップＳ１１０で、表示装置１４により、画像情報を基に図５（ｂ）に示す表示領域の画像がスクリーンなどに表示される。
【００３９】
ステップＳ１０６において、表示状態情報が表示状態取得部３４により制御部２６から取得され、次いで、拡大監視部３６に送られる。拡大監視部３６では、表示状態情報を受け、これを基に表示領域４８の画像の拡大状態が監視される。たとえば、表示状態情報により表示倍率が１より大きかったり、表示領域４８のサイズが標準より小さかったりすると、拡大状態であると判定される。そして、拡大状態が検出されると、ステップＳ１１２でＹＥＳと判定され、次にステップＳ１１４に進む。
【００４０】
一方、表示領域４８の画像が拡大状態でなければ、ステップＳ１０４でＮＯと判定され、画像情報は加工部３８で加工されずに、加工部３８から表示指示部４０に送られ、ステップＳ１０８で、表示指示部４０から表示装置１４へ表示指示されて、ステップＳ１１０で、画像情報を基に表示領域の画像が表示装置１４により表示される。
【００４１】
ステップＳ１１４において、画像情報が加工部３８で加工される。画像情報の加工では、減色などにより、表示物やその動きを判別しにくくする。そして加工された画像情報が、ステップ１０８で加工部３８から表示指示部４０を介して表示装置１４に送信される。表示装置１４では、加工された画像情報に基づいて、モノトーン化された画像などがスクリーンに表示される（ステップＳ１１０）。
【００４２】
このように、指示端末１２の出力表示装置１４の操作画面４６に表示するための画像情報は加工せず、表示装置１４で表示するための画像情報を加工する。これにより、スクリーンなどに表示された画像は加工されているため、スクリーンを見ている者は表示物やその移動が見えにくいため、移動によるちらつきなどの視覚不調が生じにくく、表示画像の見づらさを軽減できる。これに対して、操作画面４６の画像は変化せず、指示端末１２のユーザは表示物などを識別できるので、表示物や表示領域４８を適切な位置に移動させることができる。
【００４３】
なお、上記実施例では、画像情報の加工に、減色など、表示物やその移動を判別しにくい処理方法を用いたが、画像情報の削除することもできる。画像情報の削除は、移動中の全ての画像情報であってもよいし、所定時間間隔の画像情報であってもよい。全画像情報を削除すると、表示物などの移動中は削除前の画像を表示したままとすることもできるし、また、移動中は画像を表示しないようにすることもできる。また、所定時間間隔で画像情報を削除すると、表示物は不連続に移動するコマ送りのように表示される。このように加工することで、ちらつきを軽減することができ、上述と同様の効果が得られる。
【００４４】
この画像情報の加工について、表示物の移動速度、移動操作の継続時間、表示倍率などに応じて画像情報の加工を変化させることもできる。たとえば、移動速度や表示倍率が大きいほど、加工の程度を大きくしたり、加工方法を組み合わせたりする。たとえば、表示領域などの移動速度が大きくなるほど、白い背景の色に対して黒色の割合を増やし、明度の差を減少させる。この他に、たとえば、図７に示すように、表示領域４８の一部の画像情報を加工する場合、表示物の移動速度、移動操作の継続時間、表示倍率などに応じて加工する範囲をユーザが表示位置を把握できる大きさなどに変更することもできる。
【００４５】
なお、上記実施例では、表示装置１４に投影装置やテレビのディスプレイなどを用いたが、この代わりに指示端末１２の出力表示装置１４を用いることもできる。この場合、表示指示部４０からの画像情報に基づき画像を操作画面４６に表示する。
【００４６】
また、制御部２４からの画像情報により出力表示装置１４の操作画面４６に画像を表示し、表示指示部４０からの画像情報により表示装置１４でスクリーンなどに画像を表示したが、表示指示部４０からの画像情報により操作画面４６に画像を表示することもできる。この場合、表示装置１４と操作画面４６に同じ画像が表示される。ただし、操作画面４６に加工された画像が表示されても、表示物は判別できるので、表示領域や表示物を移動させることはできる。
【００４７】
さらに、上記実施例では、出力表示装置１４の操作画面４６の全範囲を表示領域とし、この表示領域の画像を表示装置１４でスクリーンなどに表示した。つまり、画像加工されていない場合、操作画面４６に表示される画像とスクリーンなどに表示される画像とは同じである。しかし、これに限らず、出力表示装置１４の操作画面４６の一部範囲を表示領域とし、スクリーンなどに表示される画像を操作画面４６に表示される画像の一部分とすることもできる。たとえば、特定のウインドウを操作画面に設け、ウインドウに表示される範囲を表示領域として、この範囲に表示される画像を表示装置１４でスクリーンなどに表示する。
【実施例２】
【００４８】
この発明の第２実施例である表示システム１０は、第１実施例とほぼ同じであるが、この実施例では、カーソルなど表示領域の設定基準の位置情報または表示領域の位置情報を図９に示す位置記憶部に記憶し、この記憶した位置情報を基に表示領域を設定することで、画像のコマ送り表示のように画像情報を加工する点が異なる。これ以外の部分に関しては第１実施例と同様であるため、共通する部分については同じ番号を付して、その番号の説明は省略している。
【００４９】
制御部２６は、プログラムやデータなどの情報および入力装置２２などの操作情報を得て、操作画面４６の画像情報を生成し、この画像情報により画像を操作画面４６に表示する。また、操作画面に表示された拡大ボタンをクリックするなど、表示装置で表示する画像を拡大する指示を入力装置２２などの操作から受けると、この指示または表示倍率などを取得し、この拡大画像の表示状態を示す情報を表示状態取得部３４に送る。これと共に、カーソルなどの位置を中心に表示領域を設定する場合には、カーソルなど表示領域の設定基準の位置情報を取得する。この他に、表示領域の枠などが操作画面に表示され、その枠で表示領域を設定する場合には、枠など表示領域自体の位置情報を取得する。そして、表示領域の設定基準の位置情報または表示領域の位置情報を操作情報として操作取得部３０に送信する。
【００５０】
操作監視部３２は、操作取得部３０から操作情報を受け、操作情報により表示領域４８の移動操作などを監視するとともに、カーソル４２など表示領域４８の設定基準の位置情報または表示領域４８の位置情報を所定間隔で取得し位置記憶部に記憶する。この所定間隔は、所定時間間隔やカーソル４２などの所定移動距離間隔である。たとえば、図１０に示すように、位置情報Ｌｎ１、Ｌｎ２、Ｌｎ３・・・を１秒間隔で操作情報から取得し、位置記憶部５６に記録する。
【００５１】
位置記憶部５６は、所定間隔で所得されたカーソル４２などの位置情報が記録される。たとえば、図１０に示すように、カーソル４２の位置情報として、ｘ座標およびｙ座標が対応付けられて記録される。
【００５２】
加工部３８は、拡大監視部３６から拡大監視結果を受け、操作監視部３２から操作監視結果を受ける。そして、操作監視結果から表示領域４８の移動操作を検出し、かつ拡大監視結果により表示領域４８の画像の拡大状態を検出すると、カーソルなどの位置情報を位置記憶部５６に要求する。位置記憶部５６から表示領域４８の設定基準などの位置情報を順に抽出し、この位置情報に基づき表示領域４８を設定する。この設定間隔は、操作監視部３２が操作情報から位置情報を取得する間隔より長く設定される。たとえば、図１１に示すように、操作監視部３２の１秒の取得間隔より長い２秒間隔で表示領域４８を設定する場合、まず日時ｎ１で位置情報Ｌｎ１を取得し、これに基づき表示領域Ｄｎ１を設定する。これから２秒後の日時ｎ３で次の位置情報Ｌｎ２を取得し、表示領域Ｄｎ２を設定する。さらに、２秒後の日時ｎ５で次の位置情報Ｌｎ３を取得し、表示領域Ｄｎ３を設定する。拡大状態時に移動操作が継続する限り、これを続ける。これにより、操作画面に表示されるカーソル４２の位置と、設定された表示領域４８の位置とが異なり、実際のカーソル４２の移動より表示領域４８の変化が遅くなる。
【００５３】
また、加工部３８は、操作画面の画像情報を画像取得部２８から得て、この画像情報の中から表示領域４８に対応する画像情報を抽出し、画像情報を表示指示部４０を介して表示装置１４に送る。
【００５４】
第２実施例の表示システム１０における処理プロセスの一例を、図８〜図１２を用いて説明する。ただし、第１実施例と同様の部分については説明を省略する。
【００５５】
図１２に示すように、カーソル４２を中心に表示領域４８を設定し、この表示領域４８の画像を所定または任意の表示倍率で拡大し、表示装置１４として出力表示装置２４を用いて表示領域４８の画像を操作画面４６の所定の表示ウインドウ５８に表示する場合について、説明する。
【００５６】
まず、ステップＳ１００で、操作画面４６の画像情報が制御部２６から画像取得部２８により取得され、加工部３８に送られる。
【００５７】
また、指示端末１２のユーザによる操作情報が、ステップＳ１０２で、操作取得部３０により制御部２６から取得され、操作監視部３２へ送られる。操作監視部３２では、カーソル４２の位置情報が操作情報から所定間隔で取得され、位置記憶部５６に保存される。たとえば、図１１に示すように、操作監視部３２により、日時ｎ１、ｎ２、ｎ３・・・と１秒間隔で位置情報Ｌｎ１、Ｌｎ２、Ｌｎ３・・・が操作情報から取得され、位置記憶部５６に記憶される。
【００５８】
また、操作監視部３２において、操作情報に基づき表示領域４８などの移動操作が監視される。ここで、カーソル４２などの移動操作が検出されなければ、ステップＳ１０４でＮＯと判定される。移動操作検出の監視結果がない限り、加工部３８において、位置情報から表示領域４８が設定され、表示領域４８の画像情報が操作画面の画像情報の中から抽出され、表示指示部４０に送られる。そして、ステップＳ１０８の表示指示部４０の指示により、出力表示装置２４において、ステップＳ１１０で、表示領域の画像情報に基づく画像が表示ウインドウ５８に表示される。
【００５９】
一方、操作監視部３２において、カーソル４２などの移動操作が検出されれば、ステップＳ１０４でＹＥＳと判定され、移動操作検出の監視結果が加工部３８に送られ、ステップＳ１０６に進む。ステップＳ１０６において、表示状態情報が制御部２６から表示状態取得部３４を介して拡大監視部３６に送信される。ここで、表示状態情報により表示領域４８の画像の拡大状態が監視され、表示領域４８の画像の拡大状態が検出されなければ、ステップＳ１０４でＮＯと判定され、上記と同様に、画像情報から表示領域４８の画像情報が抽出され、加工部３８で加工されずに表示指示部４０を介して（ステップＳ１０８）、ステップＳ１１０で、表示領域の画像情報を基に画像が表示ウインドウ５８に表示される。
【００６０】
これに対し、ステップＳ１１２で、拡大状態が検出されれば、ＹＥＳと判定され、ステップＳ１１４に進み、画像情報が加工部３８で加工される。画像情報の加工では、たとえば、図１１に示すように、表示領域４８の設定間隔を２秒とした場合、この間隔で位置情報Ｌｎ１、Ｌｎ２、Ｌｎ３・・・が加工部３８により位置記憶部５６から順に取得される。時刻ｎ１ではその時の位置情報Ｌｎ１に基づく表示領域４８Ｄｎ１が設定される。また、この時ｎ１の操作画面の画像情報Ｐｎ１が画像取得部２８から取得され、画像情報Ｐｎ１から表示領域４８Ｄｎ１に対応する画像情報Ｅｎ１が抽出される。次いで、時刻ｎ１から２秒後の時刻ｎ３に、次の位置情報Ｌｎ２による表示領域４８Ｄｎ２が設定されるとともに、この時ｎ３の操作画面の画像情報Ｐｎ３が画像取得部２８から取得される。そして、表示領域４８Ｄｎ２の画像情報Ｅｎ２が画像情報Ｐｎ３から抽出される。さらに、続く時刻ｎ３から２秒後の時刻ｎ５に、位置情報Ｌｎ３の表示領域４８Ｄｎ３が設定され、またこの時ｎ５の操作画面の画像情報Ｐｎ５が取得され、画像情報Ｐｎ５から表示領域４８Ｄｎ３に対応する画像情報Ｅｎ３が抽出される。以降、移動操作が停止されるまで、または画像の拡大状態が終了するまで、同様に、位置記憶部５６の位置情報から表示領域４８Ｄｎが設定され、その時の操作画面の画像情報Ｐｎから表示領域４８Ｄｎに対応する画像情報Ｅｎが抽出される。そして、これらの画像情報Ｅｎが順次、ステップ１０８で、加工部３８から表示指示部４０を介して出力表示装置２４に送信され、表示ウインドウ５８に表示される（ステップＳ１１０）。
【００６１】
このように、位置記憶部５６に記憶された位置情報を基に表示領域４８を設定し、この表示領域４８に対応する画像情報を操作画面の画像情報から抽出することにより、画像情報を加工する。この加工された画像情報を基に画像を表示装置１４で表示すると、画像がコマ送りのように表示される。
【００６２】
この実施例によれば、画像情報を加工し、画像をコマ送りのように表示されるため、表示領域などの動きがわかりにくくなり、移動による画像のちらつきを抑えられる。
【００６３】
また、表示領域４８の設定間隔をカーソル４２の位置情報の取得間隔より長く設定することにより、表示領域４８の変化速度は操作画面４６に表示されるカーソル４２の移動速度より遅くなるため、表示領域４８の移動によるちらつきなどがさらに低減できる。
【００６４】
しかも、表示領域４８の設定間隔を長く設定しても、表示領域４８の移動量は変化しないことにより、操作性の維持が図られる。
【００６５】
なお、上記実施例では、位置情報の取得間隔および表示領域４８の設定間隔を一定としたが、変えることもできる。たとえば、表示領域４８などの移動速度や画像の表示倍率などに応じて、表示領域４８の設定間隔を変化させる。
【００６６】
この表示領域４８の設定間隔を位置情報の取得間隔より長く設定したが、表示領域４８の設定間隔を位置情報の取得間隔より同じまたは短く設定することもできる。
【００６７】
また、上記実施例では、指示端末１２の出力表示装置２４を表示装置１４に用い、表示領域４８の画像情報に基づき画像を操作画面４６の表示ウインドウ５８に表示したが、これに代えて、表示装置１４に投影装置、テレビやコンピュータのディスプレイなどを用いることもできる。
【００６８】
さらに、上記実施例では、操作監視部３２がカーソル４２など表示領域４８の設定基準の位置情報または表示領域４８の位置情報を所定間隔で取得し位置記憶部５６に記憶したが、これらの位置情報が変化するごとに、位置情報を位置記憶部５６に記憶することもできる。
【００６９】
なお、上記全実施例では、画像の拡大状態において、表示領域などの移動操作があると、画像情報を加工したが、画像が拡大状態でなくても、表示物などの移動操作により画像情報を加工することができる。これにより、画像が拡大されていないときでも、表示物などが移動すると、画像情報が加工される。
【００７０】
上記全実施例では、画像取得部２８、加工部３８、表示指示部４０、操作取得部３０、操作監視部３２、表示状態取得部３４、拡大監視部３６、および位置記憶部５６の機能構成部を指示端末１２に設けたが、この機能構成部の一部または全部を表示装置１４に持たせることもできる。さらに、指示端末１２および表示装置１４に管理機を加え、管理機に機能構成部の全部または一部を備えることもできる。
【００７１】
なお、本発明は上述した実施例に限定されるものではなく、各実施例またはその一部を組み合わせるなどすることができる。
【符号の説明】
【００７２】
１０：表示システム
１２：指示端末
１４：表示装置
２４：出力表示装置
２８：画像取得部
３０：操作取得部
３２：操作監視部
３４：表示状態取得部
３６：拡大監視部
３８：加工部
４０：表示指示部
４６：操作画面
４８：表示領域
５６：位置記憶部
【図１】
2011170501.tif 000003
【図２】
2011170501.tif 000004
【図３】
2011170501.tif 000005
【図４】
2011170501.tif 000006
【図５】
2011170501.tif 000007
【図６】
2011170501.tif 000008
【図７】
2011170501.tif 000009
【図８】
2011170501.tif 000010
【図９】
2011170501.tif 000011
【図１０】
2011170501.tif 000012
【図１１】
2011170501.tif 000013
【図１２】
2011170501.tif 000014